(57)【要約】【課題】燃料系部品の保護構造に関し、簡素な構成で保護性を向上させる。【解決手段】燃料系部品２のコネクタ３の周囲を被覆するように保護ブラケット１を配置する。保護ブラケット１には、固定面４，上下延長面７，展開面８，天井形成面９を設ける。固定面４は、コネクタ３よりも下方で燃料系部品に対して固定される。上下延長面７は、固定面４から上方に向かってコネクタ３の高さまで延設される。展開面８には、上下延長面７からほぼ同一平面状に上方に延びる第一展開面と、コネクタ３の前方で板面をコネクタ３に向けた姿勢で配置された第二展開面とを設ける。天井形成面９は、第二展開面の上端から上方に向かって延設される。【選択図】図２
2019078199.tif 000002
【特許請求の範囲】
【請求項１】
内燃機関に固定される燃料系部品と燃料配管部材との接続箇所であるコネクタを保護する保護構造であって、
前記コネクタの周囲を被覆するように配置される保護ブラケットを備え、
前記保護ブラケットが、
前記コネクタよりも下方で前記燃料系部品に対して固定され、法線が車幅方向に向いた板面を有する固定面と、
前記固定面に接続され、前記固定面から上方に向かって前記コネクタの高さまで延設された上下延長面と、
前記上下延長面からほぼ同一平面状に上方に延びる第一展開面と、前記コネクタの高さで前記第一展開面に対してほぼ垂直に設けられ、前記コネクタの前方で板面を前記コネクタに向けた姿勢で配置された第二展開面と、を有する展開面と、
前記第二展開面の上端から上方に向かって延設される天井形成面と、
を備えたことを特徴とする、燃料系部品の保護構造。
【請求項２】
前記第一展開面及び前記第二展開面が、鋭角の挟角を有する
ことを特徴とする、請求項１記載の燃料系部品の保護構造。
【請求項３】
前記保護ブラケットが、前記上下延長面と前記展開面との境界において、前記燃料系部品に対する車両前方からの外力を受けて屈曲する第一屈曲部を備える
ことを特徴とする、請求項１または２記載の燃料系部品の保護構造。
【請求項４】
前記保護ブラケットが、前記展開面と前記天井形成面との境界において、前記燃料系部品に対する車両前方からの外力を受けて屈曲する第二屈曲部を備える
ことを特徴とする、請求項１〜３のいずれか１項に記載の燃料系部品の保護構造。
【請求項５】
前記上下延長面が、前記固定面に対して傾斜して設けられ、当該傾斜の向きが、前記上下延長面の前方を前記コネクタに接近させた向きである
ことを特徴とする、請求項１〜４のいずれか１項に記載の燃料系部品の保護構造。
【請求項６】
前記燃料系部品には、前記コネクタよりも下方において車幅方向に向いた軸線を有する第一ボルト穴が形成され、
前記保護ブラケットは、前記第一ボルト穴のみに対して締結固定される
ことを特徴とする請求項１〜５のいずれか１項に記載の燃料系部品の保護構造。
【請求項７】
前記第一ボルト穴の近傍で前記軸線と平行な軸線を有する第二ボルト穴と、
前記第一ボルト穴に対して前記固定面とともに共締めされる第一取付孔及び前記第二ボルト穴に対して締結固定される第二取付孔を有するワイヤーハーネスブラケットとをさらに備える
ことを特徴とする、請求項１〜６のいずれか１項に記載の燃料系部品の保護構造。
【請求項８】
前記保護ブラケットが、前記固定面の前記軸線まわりの回転角度を規制する倒れ止め部を備える
ことを特徴とする、請求項１〜７のいずれか１項に記載の燃料系部品の保護構造。
【発明の詳細な説明】
【技術分野】
【０００１】
本発明は、内燃機関の燃料配管部材に接続される燃料系部品の保護構造に関する。
【背景技術】
【０００２】
車両に搭載されるエンジン（内燃機関）の近傍には、高圧燃料ポンプ，燃料フィルタなどの燃料系部品が配置される。これらの燃料系部品には燃料配管部材が接続されるが、燃料系部品と燃料配管部材との接続箇所は振動や変位に対して構造的に弱く、破損や変形による燃料漏れが生じる可能性がある。そこで、燃料系部品をエンジン自体に固定することで、燃料配管部材の接続箇所における相対的な変位を生じにくくした構造が知られている。
【０００３】
一方、燃料系部品をエンジンに固定したとしても、エンジンの周辺に配置される他部品（例えばバッテリー，エアクリーナボックスなど）が車外からの外力によって移動し、燃料系部品と干渉するおそれがある。また、エンジンがエンジンルーム内で移動することによって、燃料系部品がカウルパネルやダッシュパネルと衝突する事態も想定されうる。そこで、燃料系部品の周囲にプロテクタ（保護部材）を配置して、燃料配管部材を保護することが提案されている（特許文献１参照）。プロテクタを設けることで、燃料配管部材と他部品との直接的な接触を防止することができる。
【先行技術文献】
【特許文献】
【０００４】
【特許文献１】特開2017-008769号公報
【発明の概要】
【発明が解決しようとする課題】
【０００５】
しかしながら、車外からの外力がプロテクタに強く作用する可能性を考慮すると、その外力をプロテクタが適切に受け流すような構造とすることが望ましい。なぜならば、外力によってプロテクタがエンジンから外れた場合には、そのプロテクタ自身が燃料系部品と接触し、破損や変形の原因となり得るからである。このような点で、既存の燃料系部品の保護構造には改善の余地がある。
【０００６】
本件の目的の一つは、上記のような課題に鑑みて創案されたものであり、簡素な構成で保護性を向上させることができる燃料系部品の保護構造を提供することである。なお、この目的に限らず、後述する「発明を実施するための形態」に示す各構成から導き出される作用効果であって、従来の技術では得られない作用効果を奏することも、本件の他の目的として位置付けることができる。
【課題を解決するための手段】
【０００７】
（１）開示の燃料系部品の保護構造は、内燃機関に固定される燃料系部品と燃料配管部材との接続箇所であるコネクタを保護する保護構造である。本構造は、前記コネクタの周囲を被覆するように配置される保護ブラケットを備える。前記保護ブラケットは、固定面，上下延長面，展開面，天井形成面を備える。
前記固定面は、前記コネクタよりも下方で前記燃料系部品に対して固定され、法線が車幅方向に向いた板面を有する。前記上下延長面は、前記固定面に接続され、前記固定面から上方に向かって前記コネクタの高さまで延設される。前記展開面は、前記上下延長面からほぼ同一平面状に上方に延びる第一展開面と、前記コネクタの高さで前記第一展開面に対してほぼ垂直に設けられ、前記コネクタの前方で板面を前記コネクタに向けた姿勢で配置された第二展開面と、を有する。前記天井形成面は、前記第二展開面の上端から上方に向かって延設される。
【０００８】
（２）前記第一展開面及び前記第二展開面が、鋭角の挟角を有することが好ましい。
（３）前記保護ブラケットが、前記上下延長面と前記展開面との境界において、前記燃料系部品に対する車両前方からの外力を受けて屈曲する第一屈曲部を備えることが好ましい。
（４）前記保護ブラケットが、前記展開面と前記天井形成面との境界において、前記燃料系部品に対する車両前方からの外力を受けて屈曲する第二屈曲部を備えることが好ましい。
【０００９】
（５）前記上下延長面が、前記固定面に対して傾斜して設けられ、当該傾斜の向きが、前記上下延長面の前方を前記コネクタに接近させた向きであることが好ましい。
（６）前記燃料系部品には、前記コネクタよりも下方において車幅方向に向いた軸線を有する第一ボルト穴が形成されることが好ましい。また、前記保護ブラケットは、前記第一ボルト穴のみに対して締結固定されることが好ましい。
【００１０】
（７）前記第一ボルト穴の近傍で前記軸線と平行な軸線を有する第二ボルト穴と、前記第一ボルト穴に対して前記固定面とともに共締めされる第一取付孔及び前記第二ボルト穴に対して締結固定される第二取付孔を有するワイヤーハーネスブラケットとをさらに備えることが好ましい。
（８）前記保護ブラケットが、前記固定面の前記軸線まわりの回転角度を規制する倒れ止め部を備えることが好ましい。
【発明の効果】
【００１１】
車両前方から接近する他部品をコネクタの上方へ逃がしつつ、コネクタと他部品との接触を防止することができ、コネクタ保護性を向上させることができる。
【図面の簡単な説明】
【００１２】
【図１】車載エンジン及び燃料系部品（燃料ポンプ）を示す模式図である。
【図２】燃料ポンプの側面図である。
【図３】燃料ポンプの上面図である。
【図４】ワイヤーハーネスブラケットの斜視図である。
【図５】保護ブラケットの斜視図である。
【図６】保護ブラケットの構造を説明するための図であり（Ａ）は上面図、（Ｂ）は正面図、（Ｃ）は側面図、（Ｄ）は背面図である。
【図７】（Ａ）〜（Ｅ）は保護ブラケットの作用を説明するための図である。
【発明を実施するための形態】
【００１３】
以下、図面を参照して実施形態としての燃料系部品の保護構造について説明する。ここでいう「燃料系部品」とは、内燃機関（エンジン）に固定される補機のうち燃料系配管と接続されるものを意味し、例えば燃料ポンプ（高圧燃料ポンプ），燃料フィルタ，キャニスタなどを含む。また、この保護構造における保護対象には少なくとも、燃料系部品と燃料配管部材との接続箇所であるコネクタが含まれる。
【００１４】
本実施形態に含まれる各要素の位置や方向の説明に際し、左右方向について述べる場合には、車両に着座した姿勢の乗員から見たときの左右方向を基準とする。以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００１５】
［１．装置構成］
図１は、燃料ポンプ２の保護構造が適用された車両１０の内部を透視して示す斜視図である。燃料ポンプ２は、エンジンルーム内に配置されたエンジン１４において、左側面の上部に固定される。燃料ポンプ２の前方や側方には、バッテリ１５やエアクリーナボックスなどの他部品が配置される。燃料ポンプ２には、上記の他部品と燃料ポンプ２との接触，干渉を防止すべく二種類のブラケットが取り付けられる。第一のブラケットは保護ブラケット１であり、第二のブラケットはワイヤーハーネスブラケット１３である。これらのブラケット１，１３はともに金属鋼板を加工して製造されるが、保護ブラケット１にはワイヤーハーネスブラケット１３よりも板厚の大きな鋼板が使用される。
【００１６】
本実施形態の保護ブラケット１は、おもに燃料ポンプ２と燃料配管部材との接続箇所であるコネクタ３を保護する機能を持つ。一方、ワイヤーハーネスブラケット１３は、燃料ポンプ２の左側面から背面にかけての部位を保護する機能と、ワイヤーハーネスを固定する機能とを併せ持つ。また、ワイヤーハーネスブラケット１３が燃料ポンプ２に対して二つの固定点（締結固定される箇所数）を有するのに対し、保護ブラケット１は単一の固定点を有する。すなわち、保護ブラケット１は、車両前方からの外力を受けたときに固定点を中心とした回動が許容される構造を持つ。
【００１７】
保護ブラケット１の保護対象である燃料ポンプ２のコネクタ３を、図２，図３中にハッチングで示す。図２は燃料ポンプ２の側面図であり、図３はその上面図である。コネクタ３は、燃料ポンプ２の上部に設けられる。燃料配管部材は、コネクタ３の頂面に対して接続される。図２中に破線で示すように、燃料ポンプ２におけるコネクタ３の下方には、二つのボルト穴１６，１７が設けられ、これらに対して保護ブラケット１とワイヤーハーネスブラケット１３とが固定される。
【００１８】
ワイヤーハーネスブラケット１３は、二つのボルト穴１６，１７の双方に対して締結固定される。一方、保護ブラケット１は片方のボルト穴１６のみに対して締結固定される。本実施形態では、図３に示すように、二つのボルト穴１６，１７がともにコネクタ３の直下方よりもやや右側に配置される。また、保護ブラケット１は、上面視でコネクタ３の右側から左側へと屈曲した形状に形成される。以下、保護ブラケット１が締結固定される一方を第一ボルト穴１６と呼び、他方を第二ボルト穴１７と呼ぶ。第一ボルト穴１６，第二ボルト穴１７はともに車幅方向に向いた軸線（ボルト中心線C1，C2）を有するねじ穴であり、第一ボルト穴１６の軸線C1は、第二ボルト穴１７の軸線C2と平行である。
【００１９】
図４は、ワイヤーハーネスブラケット１３の斜視図である。ワイヤーハーネスブラケット１３には、締結面２０，接続面２３，側方保護面２４，縦長面２６，後方保護面２９が設けられる。締結面２０は、燃料ポンプ２に締結固定される（ナットが締め付けられる）平面状の部位である。締結面２０には、第一ボルト穴１６に対応する第一取付孔２１と第二ボルト穴１７に対応する第二取付孔２２とが設けられる。締結面２０に二箇所の固定点を設けることで、ワイヤーハーネスブラケット１３の固定状態が安定する。また、たとえワイヤーハーネスブラケット１３に車両前方からの外力が作用したとしても、締結面２０が回動することはない。
【００２０】
側方保護面２４は、燃料ポンプ２の左側方に所定の間隔を空けて配置される平面状の部位である。側方保護面２４の板面は、車幅方向に向いた法線を持つ。図２に示すように、側方保護面２４は、燃料ポンプ２の前端から後端にかけて、車長方向の全長にわたって帯状に延設される。この側方保護面２４には、ワイヤーハーネスを固定するためのクランプ部品が係止される第一係止孔２５が穿孔される。また、締結面２０と側方保護面２４との間は、平面状の接続面２３を介して車幅方向に接続される。接続面２３を設けることで、燃料ポンプ２と側方保護面２４との間に所定の間隙が確保される。
【００２１】
縦長面２６は、側方保護面２４から上方に向かって延設された縦長の平面状の部位である。縦長面２６の上端部近傍には、ワイヤーハーネス用のクランプ部品が係止される第二係止孔２７が穿孔される。本実施形態の縦長面２６は、その上端部が下端部よりもやや右側に屈曲した形状となっており、側方保護面２４よりも燃料ポンプ２に接近した位置でクランプ部品が係止される。また、縦長面２６の上下方向の寸法が比較的長いことから、縦長面２６の中央に凹み溝２８が形成されて剛性が確保される。
【００２２】
後方保護面２９は、燃料ポンプ２の後方に所定の間隔を空けて配置される平面状の部位であり、側方保護面２４の後端辺から右側に向かって延設される。この後方保護面２９は、側方保護面２４に対してほぼ垂直に設けられ、その板面は車長方向に向いた法線を持つ。本実施形態の後方保護面２９は、図４中に示すように、燃料ポンプ２の背面形状に応じた段差形状を有する。
【００２３】
図５は、保護ブラケット１の斜視図である。保護ブラケット１には、固定面４，上下延長面７，展開面８，天井形成面９が設けられる。固定面４は、締結面２０と同様に燃料ポンプ２に締結固定される平面状の部位である。この固定面４には、第一ボルト穴１６のみに対応するボルト孔５が穿孔される。固定面４に単一の固定点を設けることで、保護ブラケット１に車両前方からの外力が作用したときに、第一ボルト穴１６の軸線C1を中心とした保護ブラケット１の回動が許容され、その外力が回転方向に受け流される。
【００２４】
ボルト孔５の直上部に位置する固定面４の上端部には、倒れ止め部６が突設される。倒れ止め部６は、保護ブラケット１の回動角が所定角に達したときに燃料ポンプ２の外表面（ケーシング）に接触する形状に形成される。つまり、倒れ止め部６は、保護ブラケット１が外力を受けて回動したときに、その保護ブラケット１の回動角を制限する機能を持つ。ボルト孔５と倒れ止め部６との距離が近いほど、回動時に倒れ止め部６に作用する反力が増大し、回動角の変化が強く制限される。なお、ワイヤーハーネスブラケット１３の剛性，強度が十分に高い場合には、ワイヤーハーネスブラケット１３の接続面２３に接触する位置（例えば固定面４の後端辺）に倒れ止め部６を突設してもよい。
【００２５】
上下延長面７は、固定面４に接続されるとともに、固定面４から上方に向かってコネクタ３の高さまで延設された面状の部位である。保護ブラケット１の保護対象がコネクタ３であることから、第一ボルト穴１６からコネクタ３までの高低差が大きいほど、上下延長面７の上下方向の寸法が増大する。図２，図５に示すように、保護ブラケット１が燃料ポンプ２に取り付けられた状態において、上下延長面７の前端辺３０は鉛直な状態とされる。一方、上下延長面７の後端辺３１は、上端が車両前方に傾いた状態とされる。つまり、上下延長面７は、上方に向かうほど細くなる形状に形成される。
【００２６】
本実施形態の上下延長面７は、図６（Ａ），（Ｂ）に示すように、固定面４に対してわずかに傾斜して設けられる。傾斜の向きは、上下延長面７の前方を左側（コネクタ３が存在する側）に接近させた向きである。換言すれば、図６（Ａ）に示すように、上面視で板面が左前方に延在する向きである。また、固定面４と上下延長面７との境界（折れ曲がり線）を図５中に二点鎖線で示す。このようなわずかな傾斜を設けることで、後述する第一屈曲部１１が屈曲変形を開始しやすくなるようにしている。
【００２７】
展開面８は、上下延長面７からコネクタ３の高さでコネクタ３の周囲に展開される部位である。展開面８の姿勢は、板面をコネクタ３に向けた姿勢とされる。本実施形態の展開面８は、上下方向に延在する折り曲げ線で平面を屈曲してなる二つの面部を有する。すなわち図５に示すように、展開面８には、Ｌ字状に配置された第一展開面３２と第二展開面３３とが設けられる。第一展開面３２は上下延長面７とほぼ同一平面状の面部であり、第二展開面３３は第一展開面３２に対してほぼ垂直に設けられた面部である。好ましくは、図６（Ａ）に示すように、第一展開面３２と第二展開面３３とに挟まれる角度（コネクタ３が存在する側の角度，挟角）を90度未満に設定する。これにより、車両前方からの外力が第一展開面３２と第二展開面３３との稜線近傍に作用しやすくなり、後述する第一屈曲部１１の屈曲変形が促進される。
【００２８】
第一展開面３２，第二展開面３３の形状に関して、保護ブラケット１が燃料ポンプ２に取り付けられた状態では、第一展開面３２がコネクタ３の右側で板面をコネクタ３に向けた姿勢となる。一方、第二展開面３３は、コネクタ３の前方で板面をコネクタ３に向けた姿勢となる。第二展開面３３の幅（車幅方向の寸法）は、前面視でコネクタ３の全体がカバーされる幅に設定される。また、第一展開面３２，第二展開面３３の上端面の高さは、コネクタ３の上端面の高さとほぼ同一の高さに設定される。
【００２９】
天井形成面９は、コネクタ３の前方における展開面８の上端辺から上方に向かって延設された部位である。図５に示すように、天井形成面９は第二展開面３３とほぼ同一平面状の面部として形成される。また、天井形成面９の上端面の高さは、少なくともコネクタ３の上端面よりも高い位置に設定される。これにより天井形成面９は、固定面４が軸線C1まわりに回転したときに、コネクタ３の上方を被覆するように機能する。
【００３０】
また、保護ブラケット１には、変形することによって車両前方からの外力を受け流すための部位として、第一屈曲部１１，第二屈曲部１２が設けられる。第一屈曲部１１は、上下延長面７と第一展開面３２との境界において、車両前方からの外力を受けて屈曲する部位である。一方、第二屈曲部１２は、第二展開面３３と天井形成面９との境界において、車両前方からの外力を受けて屈曲する部位である。
【００３１】
これらの屈曲部１１，１２は、他の部位よりも屈曲変形しやすい特性を持った軸状の部位である。他の部位よりも屈曲変形しやすくするための手法としては、溝状の切り欠きを設けて部分的に板厚を薄くすることや、板幅を他の部位よりも小さくすること、あらかじめわずかに屈曲させておくことなどが考えられる。本実施形態では、図６（Ｂ）〜（Ｄ）に示すように、上下延長面７の前端辺３０と後端辺３１とを最短距離で接続する部分が第一屈曲部１１として機能する。また、第二展開面３３の上端面と同じ高さでほぼ水平に、天井形成面９の左辺と右辺とを接続する部分（天井形成面９の下端部近傍で最小幅となる部分）が、第二屈曲部１２として機能する。
【００３２】
［２．作用］
図７（Ａ）〜（Ｅ）は、車両前方からの外力が作用したときの保護ブラケット１の動きを示す図であり、図７（Ｃ）は燃料ポンプ２の上面図、他の図は側面図である。図７（Ａ）に示すように、車両前方からの外力を受けて燃料ポンプ２の前方からバッテリ１５が後方に向かって移動してきたとする。バッテリ１５は、保護ブラケット１のうち第二展開面３３や天井形成面９に接触する。
【００３３】
このとき、第一展開面３２と第二展開面３３との挟角が90度未満の鋭角に設定されているため、第二展開面３３の左辺よりも右辺が先にバッテリ１５と接触することになり、上下延長面７の板面に沿って外力が伝達されやすくなる。これにより、図７（Ｂ）に示すように、保護ブラケット１の固定面４が軸線C1を中心としてピッチ方向に回動し、外力の一部が上方に受け流される。
【００３４】
固定面４の回動により、保護ブラケット１の展開面８と天井形成面９とが斜め後方に向かって移動する。固定面４の回動は、保護ブラケット１の倒れ止め部６が燃料ポンプ２の外表面に接触する位置で停止する。これにより、保護ブラケット１に入力される外力は、第一ボルト穴１６に取り付けられる締結具（ボルトなど）を介して燃料ポンプ２に伝達されることになる。一方、図５に示すように、保護ブラケット１の上下延長面７は固定面４に対して傾斜していることから、上下延長面７には板面を屈曲させる方向の力（すなわち、板面に平行でない成分の力）が発生し、第一屈曲部１１を折れ曲がりの起点として屈曲変形する。これにより、図７（Ｃ）に示すように、保護ブラケット１の展開面８と天井形成面９とがさらに斜め後方に向かって移動し、コネクタ３の斜め前上方が保護される。
【００３５】
また、保護ブラケット１の天井形成面９に入力される外力は、展開面８に対して天井形成面９を屈曲させるように作用する。すなわち、図７（Ｄ）に示すように、第二屈曲部１２を折れ曲がりの起点とした屈曲変形が生じ、天井形成面９の板面が後傾した傾斜面（上方が後方向に倒れた傾きの面）となる。これにより、図７（Ｅ）に示すように、バッテリ１５が天井形成面９に沿って斜め後上方へと移動し、コネクタ３との干渉，接触が回避される。このように、車両前方からの外力が保護ブラケット１の回動及び変形によって受け流され、燃料ポンプ２のコネクタ３が適切に保護される。
【００３６】
［３．効果］
（１）上記の燃料系部品の保護構造では、保護ブラケット１に固定面４，上下延長面７，展開面８，天井形成面９が設けられ、保護ブラケット１の変形によってコネクタ３の斜め前上方が保護される構造となっている。このような構造により、車両前方から接近するバッテリ１５などの他部品をコネクタ３の上方へ逃がしつつ、コネクタ３と他部品との接触を防止することができ、コネクタ３の保護性を向上させることができる。
【００３７】
また、上記の保護ブラケット１の展開面８には、図５に示すように、Ｌ字状に配置された第一展開面３２と第二展開面３３とが設けられ、それぞれの展開面３２，３３が板面をコネクタ３に向けた姿勢で燃料ポンプ２に取り付けられる。これにより、コネクタ３の前方から入力される外力を第二展開面３３で支承しつつ、その力を利用して第一展開面３２を回転方向に移動させることが容易となる。したがって、コネクタ３の保護性を向上させることができる。
【００３８】
（２）また、上記の展開面３２，３３は鋭角（90度未満）の挟角を有している。これにより、前方からの他部品の接近に際し、第二展開面３３の一側（第一展開面３２に接続される側）を他側よりも先に接触させることができる。したがって、保護ブラケット１の回動を促進することができ、コネクタ３の保護性を向上させることができる。
【００３９】
（３）上記の保護ブラケット１には、図５に示すように、上下延長面７と展開面８との境界に第一屈曲部１１が設けられる。これにより、車両前方からの外力を受けたときに、展開面８をコネクタ３の近傍に移動させることができる。したがって、コネクタ３の保護性を向上させることができる。
【００４０】
（４）同様に、上記の保護ブラケット１には、展開面８と天井形成面９との境界に第二屈曲部１２が設けられる。これにより、車両前方からの外力を受けたときに、天井形成面９をコネクタ３の近傍に移動させることができる。したがって、コネクタ３の保護性を向上させることができる。
【００４１】
（５）上記の保護ブラケット１では、図５に示すように、上下延長面７が固定面４に対してわずかに傾斜した形状とされる。このような構造により、上下延長面７の板面を屈曲させる方向の力を生じさせることができ、保護ブラケット１の展開面８と天井形成面９とを斜め後方に向かって移動させることができる。したがって、コネクタ３の保護性をさらに向上させることができる。
なお、上記の保護ブラケット１には上下延長面７と展開面８との境界に第一屈曲部１１が設けられることから、第一屈曲部１１を折れ曲がりの起点として屈曲変形させることが容易となる。このような意味でも、コネクタ３の保護性を向上させることができる。
【００４２】
（６）上記の燃料系部品の保護構造では、保護ブラケット１の固定面４が車幅方向に向いた軸線C1を有する第一ボルト穴１６のみに対して締結固定され、固定面４が車両前方からの外力に対して回転可能とされる。これにより、保護ブラケット１の全体をさらに回転させやすくすることができ、コネクタ３と他部品との接触をより確実に防止することができる。したがって、コネクタ３の保護性を向上させることができる。
【００４３】
（７）上記の保護構造では、保護ブラケット１がワイヤーハーネスブラケット１３とともに共締め固定される。一方、保護ブラケット１が単一の固定点で取り付けられるの対し、ワイヤーハーネスブラケット１３は二つの固定点で取り付けられる。これにより、仮に保護ブラケット１と燃料ポンプ２との締結固定が解除されたような場合であっても、保護ブラケット１とワイヤーハーネスブラケット１３とが連結されている限り、保護ブラケット１を保持することができる。このとき、保護ブラケット１の回動が可能であれば、上述のような外力の受け流し作用が獲得され、コネクタ３の保護性を向上させることができる。
【００４４】
（８）上記の保護ブラケット１には倒れ止め部６が設けられ、固定面４の回動角が制限される。これにより、保護ブラケット１の過回動を防止することができ、展開面８及び上下延長面７とコネクタ３との接触，干渉を回避することができる。したがって、コネクタ３の保護性をさらに向上させることができる。
【００４５】
［４．変形例］
上述の実施形態では、第一ボルト穴１６のみに対して締結固定された保護ブラケット１を例示したが、保護ブラケット１の固定手法はこれに限定されない。例えば、保護ブラケット１と燃料ポンプ２との締結固定箇所数を増やしてもよい。この場合、締結固定される位置を適度に接近させることで、保護ブラケット１を回転しやすくすることができる。また、締結固定の代わりに溶接固定してもよい。この場合、保護ブラケット１の固定面４のうち上部側が回動方向に変形することになり、上述の実施形態と同様の作用，効果を奏するものとなる。
【符号の説明】
【００４６】
１  保護ブラケット
２  燃料ポンプ
３  コネクタ
４  固定面
５  ボルト孔
６  倒れ止め部
７  上下延長面
８  周囲展開面
９  天井形成面
１０  車両
１１  第一屈曲部
１２  第二屈曲部
１３  ワイヤーハーネスブラケット
１６  第一ボルト穴
１７  第二ボルト穴
３２  第一展開面
３３  第二展開面
【図１】
2019078199.tif 000003
【図２】
2019078199.tif 000004
【図３】
2019078199.tif 000005
【図４】
2019078199.tif 000006
【図５】
2019078199.tif 000007
【図６】
2019078199.tif 000008
【図７】
2019078199.tif 000009